(57)【要約】【課題】箱を横倒しにした陳列状態において、商品を安定して陳列することができる包装陳列兼用箱を提供する。【解決手段】端板２に繋がる蓋フラップ６の先端部に抱込片８を設け、一方の側板１に繋がる蓋板７に横方向の折目線９を入れて巻込部１０を形成し、他方の側板１に端板２との稜線に沿って切目線１４を入れ、両切目線１４間に亘る横方向の折目線１５を入れて凭れ部１６を形成し、陳列に際して、一方の側板１を底にして横倒しにし、蓋板７を開き、蓋フラップ６を伸ばし、抱込片８を内側へ折り曲げ、蓋板７の巻込部１０により抱込片８を巻き込んでトレーとし、他方の側板１を切目線１４沿いに切り開き、凭れ部１６を下方へ折り曲げ、商品Ｐを巻込部１０側へ移動させて、凭れ部１６に凭れさせる。【選択図】図５
2005306466.tif 000002
【特許請求の範囲】
【請求項１】
各一対の側板及び端板を連設して周壁をなし、底面を閉止する底板を設け、両端板から延出した蓋フラップを内側へ折り曲げ、一方の側板から延出した蓋板を閉じて天面を閉止する包装箱において、前記蓋フラップの先端部に抱込片を設け、蓋板に横方向の折目線を入れて巻込部を形成し、他方の側板に端板との稜線に沿って切目線を入れ、両切目線間に亘る横方向の折目線を入れて凭れ部を形成し、陳列に際して、一方の側板を底にして横倒しにし、蓋板を開き、蓋フラップを伸ばし、抱込片を内側へ折り曲げ、蓋板の巻込部により抱込片を巻き込んでトレー状とし、他方の側板を切目線沿いに切り開き、凭れ部を下方へ折り曲げ、商品を巻込部側へ移動させて、凭れ部に凭れさせるようにしたことを特徴とする包装陳列兼用箱。
【発明の詳細な説明】
【技術分野】
【０００１】
この発明は、商品の輸送時の包装及び店頭での陳列に使用する箱に関するものである。
【背景技術】
【０００２】
従来、この種の包装陳列兼用箱として、下記特許文献１に記載されたようなものが知られている。この箱は、図６に示すように、商品の陳列に際し、一方の側板５１を底にして横倒しにし、他方の側板５１に繋がった蓋板５３を開き、この側板５１と両端板５２の稜線に入れた切目線５４を切断し、これらの切目線５４の終端間に亘る切目線５５を切断して、前面から天面へかけて開口させるものである。
【特許文献１】特許第３１１５５４１号公報
【発明の開示】
【発明が解決しようとする課題】
【０００３】
しかしながら、上記のような包装陳列兼用箱では、商品が図示のように個装箱に収納されたものであればよいが、袋入り菓子のように不安定なものである場合、陳列状態において、商品が箱の前方へ飛び出したり、後方へ倒れたりするという問題があった。
【０００４】
そこで、この発明は、箱を横倒しにした陳列状態において、商品を安定して陳列することができる包装陳列兼用箱を提供しようとするものである。
【課題を解決するための手段】
【０００５】
上記課題を解決するため、この発明は、各一対の側板及び端板を連設して周壁をなし、底面を閉止する底板を設け、両端板から延出した蓋フラップを内側へ折り曲げ、一方の側板から延出した蓋板を閉じて天面を閉止する包装箱において、前記蓋フラップの先端部に抱込片を設け、蓋板に横方向の折目線を入れて巻込部を形成し、他方の側板に端板との稜線に沿って切目線を入れ、両切目線間に亘る横方向の折目線を入れて凭れ部を形成し、陳列に際して、一方の側板を底にして横倒しにし、蓋板を開き、蓋フラップを伸ばし、抱込片を内側へ折り曲げ、蓋板の巻込部により抱込片を巻き込んでトレー状とし、他方の側板を切目線沿いに切り開き、凭れ部を下方へ折り曲げ、商品を巻込部側へ移動させて、凭れ部に凭れさせるようにしたのである。
【発明の効果】
【０００６】
このような箱では、陳列状態において、蓋フラップにより両端板が、蓋板により底の側板がそれぞれ延長され、蓋板の巻込部が起立したトレー状となって保形されるので、商品を前側の巻込部へ寄せて、見やすい状態で陳列でき、このとき、商品の前方への飛び出しが巻込部で防止されると共に、商品の後方への転倒が凭れ部により防止されて、不安定な商品でも見映えよく陳列することができる。
【発明を実施するための最良の形態】
【０００７】
以下、この発明の実施形態を図１乃至図５に基づいて説明する。ここで示す箱は、袋入りの菓子の輸送時の包装及び店頭での陳列に用されるものであり、Ｅ段等の薄手の段ボールを材料として形成される。
【０００８】
この箱のブランクでは、図１に示すように、各一対の側板１及び端板２が交互に連設され、一方の側板１の外側縁には継代片３が連設されている。各端板２の下端には底フラップ４が連設され、各側板１の下端には底板５が連設されている。各端板２の上端には蓋フラップ６が連設され、一方の側板１の上端には蓋板７が連設されている。
【０００９】
他方の側板１を挟む各蓋フラップ６の側縁は斜めに切断され、各蓋フラップ６の先端部には抱込片８が設けられている。蓋板７には、横方向の折目線９を２本入れて巻込部１０が形成され、その先端部分が差込片１１とされている。差込片１１の先端縁には係合突起１２が、巻込部１０の基部には係合穴１３がそれぞれ設けられている。
【００１０】
また、他方の側板１には、端板２との稜線に沿って上端からジッパ形の切目線１４が入れられ、これらの切目線１４間に亘る横方向の折目線１５の上方が凭れ部１６とされている。なお、切目線１４は、商品陳列時の作業性を損なわなければ、折目線１５の位置までとしてもよい。
【００１１】
上記のようなブランクを組み立てて商品を包装する際には、図２に示すように、各一対の側板１及び端板２を角筒状に折り曲げ、継代片３を反対側の端板２に貼り付けて周壁を形成し、底フラップ４と底板５とを一組ずつ貼り合わせ、対向する底板５同士を噛み合わせて底面を閉止する。
【００１２】
その後、商品を箱内に収納し、蓋フラップ６を内側へ折り曲げ、蓋板７を閉じ、差込片１１を他方の側板１の内側に差し込んで、天面を閉止する。このような包装状態では、切目線１４が縦方向の２本だけであることから、耐圧強度が十分に確保される。
【００１３】
また、店頭で商品を陳列する際には、図３に示すように、一方の側板１を底にして箱を横倒しにし、蓋板７を開き、蓋フラップ６の折り曲げを伸ばし、図４及び図５に示すように、抱込片８を内側へ折り曲げ、蓋板７の巻込部１０を折目線９沿いに巻き込むように折り曲げて、抱込片８を挟持することにより、トレー状の形状とする。
【００１４】
そして、上方となった側板１を切目線１４沿いに切り開き、商品Ｐを前側となる巻込部１０へ寄せるように全体的に移動させ、他方の側板１の凭れ部１６を折目線１５沿いに下方へ折り曲げて、凭れ部１６に商品Ｐを凭れさせる。なお、この際、商品Ｐを一旦取り出して戻すような作業を行う必要はない。
【００１５】
このような陳列状態では、商品Ｐがトレー状となった箱の前側に寄っているので、店内の買物客から見やすくなり、このとき、商品Ｐの前方への飛び出しが巻込部１０で防止されると共に、商品Ｐの後方への転倒が凭れ部１６により防止されて、不安定な商品Ｐでも見映えよく陳列することができる。また、上方となった側板１の水平部分が比較的大きいので、複数の箱を積み上げて陳列することもできる。
【図面の簡単な説明】
【００１６】
【図１】この発明に係る包装陳列兼用箱のブランクを示す図
【図２】同上の包装状態を示す斜視図
【図３】同上の陳列状態への変形過程を示す斜視図
【図４】同上の陳列状態への変形過程を示す斜視図
【図５】同上の陳列状態を示す斜視図
【図６】従来の包装陳列兼用箱を示す斜視図
【符号の説明】
【００１７】
１  側板
２  端板
３  継代片
４  底フラップ
５  底板
６  蓋フラップ
７  蓋板
８  抱込片
９  折目線
１０  巻込部
１１  差込片
１２  係合突起
１３  係合穴
１４  切目線
１５  折目線
１６  凭れ部
【図１】
2005306466.tif 000003
【図２】
2005306466.tif 000004
【図３】
2005306466.tif 000005
【図４】
2005306466.tif 000006
【図５】
2005306466.tif 000007
【図６】
2005306466.tif 000008